(57)【特許請求の範囲】
【請求項１】
矩形状の平板部の両側端から直角方向に延出する立上部を有し該立上部間が開口している略コ字状の台板と、水平片部と垂直片部とを有し前記台板に固定されて前記立上部間を連結する側板と、前記立上部の上部の内方に固定され水平ガイド部と垂直固定部とを有するガイド部材とから構成される直方体状の機能装置の筐体構造であって、
前記側板は、前記水平片部を直角に折り曲げた折り曲げ部と前記垂直片部を直角に折り曲げた折り曲げ部とが重なった重合部を有し、該重合部は前記台板の両立上部の外側に位置して該両立上部に締結され、前記側板の水平片部は前記ガイド部材の水平ガイド部の上方に位置して該水平ガイド部に締結されることを特徴とする機能装置の筐体構造。
【請求項２】
前記重合部は、その折り曲げ部同士が溶接等により固定されていることを特徴とする請求項１に記載の機能装置の筐体構造。
【請求項３】
矩形状の平板部の両側端から直角方向に延出する立上部を有し該立上部間が開口している略コ字状の台板と、水平片部と垂直片部とを有し前記台板に固定され前記立上部間を連結する側板と、前記立上部の上部の内方に固定され水平ガイド部と垂直固定部とを有するガイド部材とから構成され、前記側板は前記水平片部を直角に折り曲げた折り曲げ部と、前記垂直片部を直角に折り曲げた折り曲げ部とが重なっている重合部を有する直方体状の機能装置の筐体構造の組立て方法であって、
前記略コ字状の台板のコ字が開く方向の反りを治具で矯正しながら、前記側板を前記台板の反りを抑え込むように前記立上部の外側に前記重合部を位置させて組み付け、前記側板の重合部と前記台板の立上部とを締結すると共に、前記側板の水平片部を前記ガイド部材の水平ガイド部の上方に位置させて該水平ガイド部に締結することを特徴とする機能装置の筐体構造の組立て方法。
【発明の詳細な説明】
【０００１】
【発明の属する技術分野】
本発明は、例えば、スキャナ装置、複写機等の機能装置の筐体構造及びその組立て方法に係り、特に、より安定した強度を保持することができる機能装置の筐体構造に関するものである。
【０００２】
【従来の技術】
従来、プリンターや複写機等の画像形成装置にあっては、複数の機能部を組み合わせて装置全体を形成しているが、装置の組立性の向上のために各機能部がユニットとして組み立てられ、その後、各機能ユニットを組み合わせて、画像形成装置を組み立てるようにしている。このような機能ユニットにあっては、特開昭６２−２７９７７２号公報に記載のように、ユニットの筐体を略箱状として形成し、筐体にユニット内の部品を組み付けて機能ユニットを形成しており、画像形成装置本体を組み上げる際には、機能ユニットの筐体を画像形成装置本体の筐体に取り付けるようにしている。
【０００３】
また、装置本体として単体のスキャナ装置等の比較的機能部の少ない装置にあっても、略箱状の筐体に対して種々の部品を取り付けて装置本体を構成している。上述のような装置本体の一部をなす機能ユニットや装置本体の筐体を板金で形成する場合、１つの部品で形成しづらいために、複数の部品を接合して、１つの略箱状の筐体を形成することが行われている。
【０００４】
例えば、特開昭６２−２７９７７２号公報に記載のスキャナ装置側の略箱状の筐体は、断面がＵ字状に曲げられた第１の板金フレームに断面が階段状に曲げられた第２の板金フレームを接合して構成されている。
また、特開平１０−３１２４号公報に記載の略箱状筐体は、直方体状の筐体の各辺に、断面が矩形状のパイプを配置し、これらを接合することで形成されている。更に、各辺のパイプに補強板金を渡して、装置の筐体を構成している。
【０００５】
【発明が解決しようとする課題】
ところで、上述のような略箱状の筐体にあっては、装置の機能を確実に安定して発揮するために、その強度が必要となる。例えば、特開昭６２−２７９７７２号公報に記載のスキャナ装置のように、装置の上部に、ガラスのような平面状の部材を配置する場合に、装置の筐体が強度不足で歪んでしまうと、平板状部材の位置精度が低下して、装置の機能に影響を与えることになる。
【０００６】
また、画像形成装置等にあっては、ジャム処理等の場合のように装置内に手を差し入れて作業したり、トナー補給や感光体の交換時のように装置内にある機能ユニットを装抜してメンテナンス作業を行うことがあるが、これらの場合には、装置の筐体は、装置の外形の各面の縁部に配置されて、作業の邪魔にならないように構成することが必要である。
【０００７】
このような観点に立って、上述の公報に記載された技術を見ると、特開昭６２−２７９７７２号公報のスキャナ筐体は、本来、平面方向で矩形状となって、内部を移動する走査ユニットや内部の光軸がずれないように形成される必要があるが、断面がＵ字状に曲げられた第１の板金フレームの端面に断面が階段状に曲げられた第２の板金フレームの１面を当接して形成しているので、菱形状に歪むことになる。
【０００８】
また、特開平１０−３１２４号公報に記載の略箱状筐体は、多数の補強板を必要とし、部品点数が多くなったり、メンテ作業等やユニットの着脱の障害になったり、装置の大型化につながったりする。さらに、このように複数の部材を組み合わせて１つの箱上の筐体を形成する場合、筐体を構成する個々の部品精度が互いに影響しあいながら筐体全体の精度となるため、部品点数がふえるとその分組み付けにおける精度バラツキも大きくなり、筐体全体の精度も低くなりやすい。
【０００９】
本発明は、このような問題に鑑みてなされたものであって、その目的とするところは、複数の部品を組み合わせて１つの箱状の筐体を形成する場合に、補強板等の他の部品を不要とし、装置の筐体の強度を向上することができる筐体構造を提供することにある。また、本発明の他の目的は、筐体を構成する個々の部材の精度バラツキが、組み付け方を考慮することにより筐体全体の精度に対して影響しない筐体構造を提供することにある。
【００１０】
【課題を解決するための手段】
前記目的を達成すべく、本発明に係る機能装置の筐体構造は、矩形状の平板部の両側端から直角方向に延出する立上部を有し該立上部間が開口している略コ字状の台板と、水平片部と垂直片部とを有し前記台板に固定され前記立上部間を連結する側板と、前記立上部の上部の内方に固定され水平ガイド部と垂直固定部とを有するガイド部材とから構成され、前記側板は、前記水平片部を直角に折り曲げた折り曲げ部と前記垂直片部を直角に折り曲げた折り曲げ部とが重なった重合部を有し、該重合部は前記台板の両立上部の外側に位置して該両立上部に締結され、前記側板の水平片部は前記ガイド部材の水平ガイド部の上方に位置して該水平ガイド部に締結されることを特徴とする。
【００１５】
この構成によれば、筐体のフレーム構造体は、３方向の直角曲げにより形成された重合部によって強度を向上することができ、ガイド部材は、水平ガイド部が上側より側板の水平片部で支持されているため強度を向上することができる。そして、側板の３方向プレス曲げにより直角曲げして形成した重合部により、側板を台板及びガイド部材に組み付ける際、側板の直角面に沿うように組み付けることで、各構成部品の組み付け後の直角精度も確保し易くなり、筐体はアッセンブリー後も精度がよく、変形しにくい構成となる。このため、筐体をスキャナに用いた場合、コンタクトガラスの載るガイド部材上面の上下方向の変形を抑制することができ、ＲＡＤＦ等大重量の装置をコンタクトガラス上に搭載した場合やブック原稿読み込みの際に懸念されるガイド部材の変形に起因する画像歪みが抑制される。
【００１６】
本発明に係る機能装置の筐体構造の好ましい具体的なさらに他の態様としては、前記した筐体構造において、重合部は、その折り曲げ部同士が溶接等の締結方法で固定されていることを特徴とする。この構成によれば、側板の単品状態で３方向プレス曲げ部により形成した重合部を、予め固定して３方向の直角曲げ精度を確保でき、その後、両部材を締結することにより、側板を台板及びガイド部材に組み付ける際、固定された側板の直角面に沿うように組み付けることで、各構成部品の組み付け後の直角精度も安定し、筐体のフレーム構造体はアッセンブリー後も変形しにくくできる。このため、筐体をスキャナに用いた場合の精度バラツキに起因する画像歪みが抑制される。
【００１７】
また、本発明の機能装置の筐体構造の組立て方法は、前記した直方体状の機能装置の筐体構造の組立方法であって、前記略コ字状の台板のコ字が開く方向の反りを治具で矯正しながら、前記側板を前記台板の反りを抑え込むように前記立上部の外側に前記重合部を位置させて組み付け、側板の重合部と台板の立上部とを締結すると共に、前記側板の水平片部を前記ガイド部材の水平ガイド部の上方に位置させて該水平ガイド部に締結することを特徴とする。
【００１８】
この構成によれば、前記組立て及び締結方法により、治具取外し後の台板の反りを側板で押さえ込むことができ、従来からある１方向、２方向からのプレス曲げ構造からなる側板と比較し、より強度の大きい直交する３方向からのプレス曲げによる重合部で台板と締結でき、台板の反りを確実に防止することができ、強度の大きい筐体を組み立てることができる。
【００１９】
【発明の実施の形態】
以下、本発明に係る機能装置の筐体構造を画像形成装置の１種であるディジタル複写機３０に適用した一実施形態を図面に基づき詳細に説明する。図１は、ディジタル複写機３０の主要部断面を示す要部である。図１において、このディジタル複写機３０の本体は、大きく分けて原稿読み取り装置としてのスキャナ部３１とレーザプリンタ部３２とから構成されている。スキャナ部３１は、透明のガラスからなる原稿台としてのコンタクトガラス３５と、コンタクトガラス３５上へ自動的に原稿を供給搬送するための両面対応自動原稿送り装置（以下、「ＲＡＤＦ：Reversing Automatic Document Feeder」という）３６と、コンタクトガラス３５上に載置され、原稿の画像を走査して読み取るための原稿画像読み取りユニット、つまりスキャナユニット４０とから構成されている。なお、本実施の形態においては、ＲＡＤＦ３６を備えた原稿読み取り装置となっているが、本発明においては必ずしもこのＲＡＤＦ３６は必要ではない。
【００２０】
前記スキャナ部３１は、コンタクトガラス３５上の原稿の画像を、光電変換素子（ＣＣＤ：Charge Coupled Device）素子４４で読み取るものである。スキャナ部３１にて読み取られ電気信号に変換された原稿画像は、画像データとして画像処理部（図示せず）へ送られ、この画像処理部で画像データに対して、カラー補正、ガンマ補正、輪郭強調等の所定の画像処理が施される。
【００２１】
前記ＲＡＤＦ３６は、図示しない原稿トレイ上に複数枚の原稿をセットしておき、これらセットされた原稿を１枚ずつ自動的にスキャナユニット４０のコンタクトガラス３５上へ給送する装置である。また、ＲＡＤＦ３６は、オペレータの選択に応じて原稿の片面又は両面をスキャナユニット４０に読み取らせるように、片面原稿のための搬送経路、両面原稿のための搬送経路、搬送経路切り換え手段、各部を通過する原稿の状態を把握し管理するセンサ群、及び制御部等から構成されている。なお、ＲＡＤＦ３６については、従来から多くの技術が開示され、また多くのものが商品化されているので、これ以上の説明は省略する。
【００２２】
一方、前記スキャナ部３１を構成するスキャナユニット４０は、原稿面を照射する走査手段としてのランプリフレクタアセンブリ４１と、原稿からの反射光像をＣＣＤ素子４４に導くために、原稿からの反射光を反射させる第１反射ミラー４２ａを搭載してなる第１走査ユニット（走査ユニット）４０ａと、この第１反射ミラー４２ａからの反射光像を感光受光手段としてのＣＣＤ素子４４に導くための第２反射ミラー４２ｂ及び第３反射ミラー４２ｃを搭載してなる第２走査ユニット４０ｂと、原稿からの反射光像を上述した各反射ミラー４２ａ、４２ｂ、４２ｃを介してＣＣＤ素子４４上に結像させるための光学レンズ４３と、原稿からの反射光像を電気的画像信号に変換する前記ＣＣＤ素子４４とから構成される。
【００２３】
なお、スキャナ部３１は、前記ＲＡＤＦ３６とスキャナユニット４０との関連した動作により、コンタクトガラス３５上に読み取るべき原稿を順次載置させながら、コンタクトガラス３５の下面に沿ってスキャナユニット４０を走査移動させて原稿画像を読み取るように構成されている。特に、第１走査ユニット４０ａは、コンタクトガラス３５に沿って同図において左から右、つまり副走査方向Ａへと一定速度Ｖ（図示しない）で走行される。また、第２走査ユニット４０ｂは、第１走査ユニット４０ａの速度Ｖに対してＶ／２（図示しない）の速度で同一方向Ａに平行に走査制御される。これにより、コンタクトガラス３５上に載置された原稿の画像を１ライン毎に順次ＣＣＤ素子４４へと結像させて画像を読み取ることができる。
【００２４】
スキャナユニット４０にて読み取ることにより得られた原稿画像の画像データは、図示しない画像処理部へ送られ、各種処理が施された後、この画像処理部のメモリに一旦記憶される。そして、出力指示に応じてメモリ内の画像を読み出して、レーザプリンタ部３２に転送して記録用紙上に画像形成される。
【００２５】
前記のレーザプリンタ部３２は、画像を形成させるための記録用紙の搬送系、レーザ書き込みユニット４６、及び画像を形成するための電子写真プロセス部４７を備えている。レーザ書き込みユニット４６には、図示しない半導体レーザ光源、ポリゴンミラー及びｆθレンズ等が内蔵されている。半導体レーザ光源は、前記スキャナユニット４０にて読み取った後のメモリから読み出した画像データ又は外部の装置から転送されてきた画像データに応じてレーザ光を出射する。このレーザ光は、ポリゴンミラーにて等角速度偏向され、さらに、ｆθレンズにて、電子写真プロセス部４７を構成する感光体ドラム４８上で等速度で移動されるように補正される。前記電子写真プロセス部４７は、周知のものからなっており、感光体ドラム４８の周囲に帯電器、現像器、転写器、剥離器、クリーニング器及び除電器等を備えている。
【００２６】
一方、記録用紙の搬送系は、上述した画像形成を行う電子写真プロセス部４７の転写器が配置された転写位置へと記録用紙を搬送する搬送部と、この搬送部へと記録用紙を送り込むためのカセット給紙装置５１、５２又は必要なサイズの記録用紙を適宜給紙するための手差し給紙装置５４と、転写後の記録用紙に形成された画像つまりトナー像を定着するための定着器４９と、定着後の記録用紙の裏面に再度画像を形成するために記録用紙を切換装置５０により切換えて再供給するための再供給経路５３とを備えている。また、定着器４９の下流側には、画像が記録された記録用紙を受け取り、この記録用紙に対して所定の処理を施す後処理装置３４が配置されている。
【００２７】
前記構成のレーザプリンタ部３２では、画像メモリから読み出された画像データは、レーザ書き込みユニット４６によってレーザ光線を出射させることにより感光体ドラム４８の表面上に静電潜像として形成され、トナーにより可視像化されたトナー像は多段給紙ユニットにおけるいずれかのカセット給紙装置５１、５２又は手差し給紙装置５４から搬送された用紙の面上に静電転写され定着される。このようにして画像が形成された用紙は定着器４９から後処理装置３４内へと搬送される。
【００２８】
以下に、本発明に係る機能装置の筐体構造を、スキャナユニット４０の筐体に適用した事例を用いて詳細に説明する。図２は、スキャナユニット４０の主要部斜視図である。図２に示すように、第１走査ユニット４０ａ及び第２走査ユニット４０ｂは、それぞれのキャリッジの端部底側に設けられたスライダーにより、スキャナの筐体（図中の２点鎖線）１、１０の内壁に設けられたガイド手段７及びガイド手段８上に乗っている。スキャナ筐体１、１０の背面側Ｂには、第１走査ユニット４０ａ及び第２走査ユニット４０ｂの移動のための駆動源であるステッピングモータ１１が取付けられている。ステッピングモータ１１の出力軸には、出力ギヤが設けられている。この出力ギヤが、スキャナ筐体の内壁に固設された回転軸に回転自在に配置されたギヤ／プーリー（ギヤとプーリーが一体成形されている）１２のギヤ部に係合している。
【００２９】
また、スキャナ筐体１、１０の前後壁間には、駆動軸１３が図示しない軸受を介してスキャナ筐体に回転自在に支持されている。この駆動軸１３には、プーリー１４と前後２個のワイヤ駆動プーリー１５が固定されている。駆動軸１３のプーリー１４とギヤ／プーリー１２のプーリー部との間には、タイミングベルト１６が巻き掛けられている。駆動軸１３のワイヤ駆動プーリー１５に巻き掛けられたワイヤ１７は、その一端がスキャナ筐体の底部に配置された第１の固定部１７ａに固定され、その他端がスキャナ筐体の往動側内壁に設けられた第２の固定部１７ｂに張力付与用の引っ張りバネ１７ｃを介して固定されている。
【００３０】
このワイヤ１７は、第１の固定部１７ａ側から順次、第２走査ユニット４０ｂに回転自在に設けられた２連プーリー１８の内側、駆動軸のワイヤ駆動プーリー１５、スキャナ筐体１、１０の内壁に回転自在に設けられた固定プーリー１９、第２走査ユニット４０ｂに回転自在に設けられた２連プーリー１８の外側及び補助プーリー２０に巻き掛けられている。また、ワイヤ１７はワイヤ駆動プーリー１５に多数回巻き掛けられている。このワイヤ１７のワイヤ駆動プーリー１５に多数回巻き掛けられた部分のうち、第１走査ユニット４０ａ及び第２走査ユニット４０ｂが図中の往動方向Ｆ及び復動方向Ｒに移動した際でもワイヤ駆動プーリー１５に巻かれたままのところが、ワイヤ駆動プーリー１５に固定されており、駆動力が的確に伝達できるように構成されている。
【００３１】
また、第１走査ユニット４０ａは、このように巻き掛けられたワイヤ１７のうちのワイヤ駆動プーリー１５と２連プーリー１８との間の部分に、ワイヤ固定手段（図示せず）で固定される。第１の固定部１７ａでは、スキャナ筐体１、１０の切り曲げ部にワイヤ１７の端部に設けた固定金具がビスにより固定することによりワイヤの端部を固定するように構成されている。また、第２の固定部１７ｂでは、ワイヤ１７の端部に設けた固定金具に係合した引っ張りバネ１７ｃが、スキャナ筐体の切り曲げ部１７ｂに係止されるように構成されている。
【００３２】
補助プーリー２０は、ワイヤの端部をバネを介して係止するにあたって、スキャナ筐体の底面から上面側にワイヤを曲げることで、スキャナ筐体１、１０が往復動方向に大型化するのを防止している。以上のように構成してあるので、ステッピングモータ１１が正転又は逆転すると、第１走査ユニット４０ａ及び第２走査ユニット４０ｂは、ガイド手段７及びガイド手段８に案内されて、図２中の往動方向Ｆ又は復動方向Ｒに移動する。
【００３３】
ここで、本発明を機能装置としてスキャナユニット４０の筐体であるフレーム構造体に対して適用した一実施例を、図３〜６に基づいて以下に具体的に説明する。図３〜６は、図２の中で２点鎖線で示されているスキャナ筐体１の３方向からの平面図、側面図である。まず、図３〜６を用いてスキャナユニット４０のフレーム構造体の構成及び各部分の機能を説明する。筐体１であるフレーム構造体は、略コ字形の台板２と側板３と側板４の３つの構成部品から成っており、台板２は平板金を略コ字形にプレス曲げ加工したものであり、矩形状の平板部２ａの両側端から直角方向に延出する立上部２ｂ、２ｂを有し、該立上部間が開口している。一方の部材である台板２の立上部２ｂ、２ｂは、他方の部材である側板３、４と接合する接合面を構成している。平板部２ａは平坦部の剛性を高めるため、プレス時に所定形状の段差部２ｃを形成してある。立上部の２ｂ、２ｂ上端は外側に向けて延出する水平リブ２ｄ、２ｅが形成されており、立上部の平坦度を確保している。平板部２ａの立上部のない両側端は上方にプレス曲げされて取付部２ｆ、２ｆが形成され、２本の取付けねじが形成されている。
【００３４】
また、側板３、４は実質的に同一構成をしており、一方の側板３について説明する。側板３は、１枚の板金より構成され、長手方向の板金プレス曲げによる折り曲げで、２つの片部として上部水平片部３ａと垂直片部３ｂと、それらに連続する下部水平片部３ｃとを形成し、下部水平片部３ｃの先端には台板２の取付部２ｆと対向する取付辺３ｄが形成されている。そして、側板３は台板２の立上部２ｂ、２ｂ間を連結して前記した開口部分を閉じるような形状に加工され、台板２に固定されるものである。このため、台板２と側板３、４をビス等の締結手段にて締結して組み立てると、上方が開口する略直方体状のスキャナ筐体１が完成する。台板２には、前記したＣＣＤ素子４４や光学レンズ４３はもとより、第１走査ユニット４０ａと第２走査ユニット４０ｂの移動のために設けられる後述するガイドレールも設置されるため、台板２の反りや変形を抑えることは画像歪みを抑制するためには重要となる。
【００３５】
側板３のコーナー部端面は、Ｌ字状に折り曲げた水平片部３ａと垂直片部３ｂから、各々直角に折り曲げた折り曲げ部３ｅ、３ｆが重なった重合部５を有している。すなわち、側板３の両端部の水平片部３ａと垂直片部３ｂとの間にスリットを形成して両片部３ａ、３ｂを折り曲げ部分で分割し、垂直片部３ｂの端部を直角に折り曲げて折り曲げ部３ｆを形成すると共に、水平片部３ａの端部を直角に折り曲げて折り曲げ部３ｅを形成し、両折り曲げ部３ｆ、３ｅを重ねて重合部５としている。
【００３６】
従って、コーナー部におけるプレス曲げ方向は、水平片部３ａと垂直片部３ｂの曲げのＸ方向と、水平片部３ａと折り曲げ部３ｅの曲げのＹ方向と、垂直片部３ｂと折り曲げ部３ｆの曲げのＺ方向と直交する３方向からの曲げとなり、コーナー部は３方向の曲げにより形成されて強度の大きいものとなる。なお、この重合部５は折り曲げ部３ｅ、３ｆが重なった部分で、組立て前にスポット溶接等により融着部９を形成して固定するようにしてもよい。
【００３７】
側板３、４においては、その両端部が３方向からのプレス曲げ構造をとることにより、側板自体のコーナー部Ｐの強度を向上させるとともに、その側板の組み付けによる効果として台板２のプレス曲げ加工に伴うコ字形が開く方向の反り、変形の抑制作用が向上し、これによりフレーム構造体全体の反り、変形を防止でき、スキャナの筐体に用いたとき、反り、変形に起因する画像歪みを抑制することができる。
【００３８】
また、前記フレーム構造体の組み付け手順として、略コ字形の台板２のプレス加工に伴うコ字が開く方向の反りを図５（ｃ）中の治具６で矯正しながら、側板３及び側板４を台板２の反りを抑え込むように、台板２の曲げの外側から組み付け、側板３、４の重合部５を立上部２ｂ、２ｂの外側に位置させて、重合部５の取付け孔、折り曲げ部３ｆの取付け孔と立ち上げ部２ｂのねじ孔をねじ止めし、取付け部２ｆと取付け辺３ｄをねじ止めして締結する。これにより、治具６を取り外した後の台板２の反りを側板３及び側板４で抑え込むことができる。この固定は、従来よくある１方向、２方向からのプレス曲げ構造から成る側板に比べ、側板３、４は締結後より強度が強くなる３方向からのプレス曲げの重合部で台板２に締結されることにより、筐体１の強度は向上し、台板２の反り防止の効果も向上する。
【００３９】
次に、図７〜１０を参照して、本発明の他の実施形態を説明する。図７〜１０は、図２の中で２点鎖線で示されているスキャナ筐体１０の３方向からの平面図、側面図である。この実施形態は、前記した実施形態に対して図１のコンタクトガラス３５及び第１走査ユニット４０ａのスライダー（図示しない）が載る断面が略コ字形のガイドレール７及びガイドレール８を備えることを特徴とするものである。なお、前記した実施形態と実質的に同等の構成については、同じ符号を付して詳細な説明は省略する。
【００４０】
ガイドレール７及びガイドレール８は、一部を切欠いているが基本的には断面が略コ字形をしており、ガイドレール７、８は上方の水平ガイド部７ａ、８ａ、垂直固定部７ｂ、８ｂ及び下方の水平ガイド部７ｃ、８ｃから形成されている。ガイドレール７及びガイドレール８は、垂直固定部７ｂ、８ｂにより台板２の立上部にビス等により固定され、上方の水平ガイド部７ａ、８ａの上面にコンタクトガラス３５が載置され、下方の水平ガイド部７ｃ、８ｃ上に第１走査ユニット４０ａのスライダー（図示しない）が摺動可能に載置される。図中の拡大図に示すように、側板３、４のコーナー部Ｑは直交する３方向からのプレス曲げ構造で重合部５が形成され、予めコーナー部Ｑに対して３方向の直角曲げ精度を確保しながら側板単品状態でスポット溶接による融着部９で締結固定されていることを示している。
【００４１】
この側板単品状態でコーナー部Ｑに対して予め３方向の直角曲げ精度を確保し締結固定しておくことにより、側板３及び側板４をフレーム構造体の台板２及びガイドレール７、８に組み付ける際、側板３及び側板４の各直角面に沿うように組み付けることができ、各構成部品の組み付け後の直角精度が確保し易くなり、フレーム構造体のアッセンブリー後の精度バラツキに起因する画像歪みを抑制することができる。
【００４２】
また、前記筐体１０のフレーム構造体の組み付け手順として、台板２の内壁にガイドレール７、８が組み付けられた状態で、側板３及び側板４を台板２及びガイドレール７、８に対して外側から覆い被せるように組み付け、側板３、４の重合部５を台板２の立上部２ｂ、２ｂの外側に位置させ、側板３、４の水平片部をガイドレール７、８の水平ガイド部７ａ、８ａの上方に位置させて締結する。この締結は、重合部５の取付け孔、折り曲げ部３ｆの取付け孔と立ち上げ部２ｂのねじ孔をねじ止めし、取付け部２ｆと取付け辺３ｄをねじ止めして行う。つまり、台板２に対しては、コ字形が開く方向の反りを抑えるように図９（ｃ）中のア方向より、ガイドレール７、８に対しては、図８（ａ）中のガイドレール上面イ方向より側板３及び側板４を締結する。
【００４３】
これにより、台板２の反りを側板３及び側板４で抑え込みつつ、コンタクトガラスの載るガイドレール７、８上面、及び第１走査ユニット４０ａのスライダーの載るガイドレール７、８下面の上下方向の変形を抑制することができ、ＲＡＤＦ等の大重量の装置をコンタクトガラス上に搭載した場合やブック原稿読み込みの際に懸念されるガイドレール７、８の変形に起因する画像歪みを抑制することができる。
【００４４】
なお、前記した実施形態では、例えば折り曲げ部３ｅ、３ｆを折り曲げ形成する隣接する２つの平坦面３ａ、３ｂはＬ字型に直交する例を示したが、２つの面は直交せずに所定の角度を持って交差するように折り曲げたものでもよい。
【００４５】
【発明の効果】
以上の説明から理解できるように、本発明の機能装置の筐体構造によれば、一方の部材に２つの片部から折り曲げて形成した折り曲げ部が重なっている重合部を形成し、他方の部材を重合部に組み付けることにより、筐体の強度を向上させることができる。また、筐体を略コ字状の台板と、台板の立上部を連結する側板とから構成し、側板には２つの片部から折り曲げ部を形成して重ね合わせて重合部とし、重合部を台板の接合面である立上部の外側に位置させることにより、筐体の強度を向上させることができ、台板の開く方向の反りを側板で押さえ込むことができる。
【００４６】
さらに、台板の立上部に取付けたガイド部材の両端部を、側板の水平片部により支持して、筐体の強度をさらに向上させることができる。このため、コンタクトガラスを載置して走査ユニットを有するスキャナ等の筐体に好適に使用することができる。重合部を予め溶接等により固定すれば、精度よく組み立てることができ、組立て後の強度も向上する。治具により台板の反りを矯正しながら組み立てれば、台板の反りを確実に防止することができ、強度の大きい筐体を組み立てることができる。
【図面の簡単な説明】
【図１】本発明に係る機能装置の筐体構造を適用したデジタル複写機の主要構成を示す断面図。
【図２】図１のスキャナ部の概略構成を示す斜視図。
【図３】（ａ）は図２の２点鎖線で表した筐体部分の分解した状態の平面図、（ｂ）は図３（ａ）のＰ部の拡大図。
【図４】（ａ）は図３（ａ）の下方より見た側面図、（ｂ）は図４（ａ）のＰ部の拡大図。
【図５】（ａ）は図４（ａ）の側面図、（ｂ）は図５（ａ）のＰ部の拡大図、（ｃ）は組立て状態を示す説明図。
【図６】台板及び側板の要部を示す分解斜視図。
【図７】（ａ）は図２の２点鎖線で表した筐体部分のガイドレールを含む分解した状態の平面図、（ｂ）は図７（ａ）のＱ部の拡大図。
【図８】（ａ）は図７（ａ）の下方より見た側面図、（ｂ）は図８（ａ）のＱ部の拡大図。
【図９】（ａ）は図８（ａ）の側面図、（ｂ）は図９（ａ）のＱ部の拡大図、（ｃ）は組立て状態を示す説明図。
【図１０】図７のガイドレールを台板に取付け、側板を分解した状態の平面図。
【符号の説明】
１  筐体
２  台板
２ａ  平板部
２ｂ  立上部
３、４  側板
３ａ、３ｃ  水平片部
３ｂ  垂直片部
３ｅ、３ｆ  折り曲げ部
５  重合部
６  治具
７、８  ガイド部材
７ａ、７ｃ、８ａ、８ｃ  水平ガイド部
７ｂ、８ｂ  垂直固定部
９  融着部
【図１】
0003789287.tif 000002
【図２】
0003789287.tif 000003
【図３】
0003789287.tif 000004
【図４】
0003789287.tif 000005
【図５】
0003789287.tif 000006
【図６】
0003789287.tif 000007
【図７】
0003789287.tif 000008
【図８】
0003789287.tif 000009
【図９】
0003789287.tif 000010
【図１０】
0003789287.tif 000011